(57)【要約】【課題】逆転暴走状態を誤認することなく正確に検出可能なドア駆動制御装置、及び、従来よりも安全性を向上させたドア駆動制御方法を提供する。【解決手段】ドア１の駆動用のリニアモータ２に電力を供給する電力変換器１４を備え、ドア１の速度検出値と速度指令値とを用いたフィードバック制御により電力変換器１４を運転し、ドア１の速度を制御するドア駆動制御装置に関する。ドア１の速度指令値が正または負の第１の設定速度を超え、かつ、速度検出値が速度指令値とは逆極性の第２の設定速度を超えた場合に、ドア逆方向速度異常信号ａを出力するドア速度異常判定器１５を備える。【選択図】図１
2008271705.tif 000002
【特許請求の範囲】
【請求項１】
ドア駆動用のモータに電力を供給する電力変換器を備え、ドアの速度検出値と速度指令値とを用いたフィードバック制御により前記電力変換器を運転し、前記モータによって駆動されるドアの速度を制御するドア駆動制御装置において、
前記速度指令値が正または負の第１の設定速度を超え、かつ、前記速度検出値が前記速度指令値とは逆極性の第２の設定速度を超えた場合に、速度異常信号を出力する異常判定手段を備えたことを特徴とするドア駆動制御装置。
【請求項２】
請求項１に記載したドア駆動制御装置において、
前記速度検出値が速度指令値に一致するように電流指令値を演算する速度制御手段と、
前記電流指令値と、前記電力変換器の出力電流検出値と、前記ドアの位置検出値と、を用いて前記電力変換器の電圧指令値を生成する電流制御手段と、
を備えたことを特徴とするドア駆動制御装置。
【請求項３】
請求項２に記載したドア駆動制御装置において、
前記速度異常信号を前記電流制御手段に入力したことを特徴とするドア駆動制御装置。
【請求項４】
ドア駆動用のモータに電力を供給する電力変換器を備え、ドアの速度検出値と速度指令値とを用いたフィードバック制御により前記電力変換器を運転し、前記モータによって駆動されるドアの速度を制御するドア駆動制御装置において、
前記速度検出値を用いてドアの加速度を演算する加速度演算手段と、
この加速度演算手段から出力された加速度検出値と前記速度検出値とから所定時間後のドアの速度を予測し、その予測速度が正または負の第３の設定速度を超えた場合に、予測速度異常信号を出力する異常判定手段を備えたことを特徴とするドア駆動制御装置。
【請求項５】
請求項４に記載したドア駆動制御装置において、
前記速度検出値が速度指令値に一致するように電流指令値を演算する速度制御手段と、
前記電流指令値と、前記電力変換器の出力電流検出値と、前記ドアの位置検出値と、を用いて前記電力変換器の電圧指令値を生成する電流制御手段と、
を備えたことを特徴とするドア駆動制御装置。
【請求項６】
請求項５に記載したドア駆動制御装置において、
前記予測速度異常信号を前記電流制御手段に入力したことを特徴とするドア駆動制御装置。
【請求項７】
ドア駆動用のモータに電力を供給する電力変換器を、ドアの速度検出値と速度指令値とを用いたフィードバック制御により運転し、前記モータによって駆動されるドアの速度を制御するドア駆動制御方法において、
前記速度指令値が正または負の第１の設定速度を超え、かつ、前記速度検出値が前記速度指令値とは逆極性の第２の設定速度を超えた場合に、ドアが前記速度指令値による移動方向とは逆方向に移動していると判断して速度異常信号を出力する異常検出動作を行い、前記速度異常信号を用いて前記電力変換器の運転を制御することを特徴とするドア駆動制御方法。
【請求項８】
ドア駆動用のモータに電力を供給する電力変換器を、ドアの速度検出値と速度指令値とを用いたフィードバック制御により運転し、前記モータによって駆動されるドアの速度を制御するドア駆動制御方法において、
前記速度検出値から演算した加速度検出値と前記速度検出値とから所定時間後のドアの速度を予測し、その予測速度が正または負の第３の設定速度を超えた場合に異常と判断して予測速度異常信号を出力する異常検出動作を行い、前記予測速度異常信号を用いて前記電力変換器の運転を制御することを特徴とドア駆動制御方法。
【請求項９】
請求項７における速度異常信号または請求項８における予測速度異常信号が出力された時に、
前記電力変換器の出力電圧を一定期間ゼロとして前記モータを発電制動させることを特徴とするドア駆動制御方法。
【請求項１０】
ドアが動作を開始してから一定時間のみ、請求項７または請求項８記載の異常検出動作を実行し、上記一定時間を経過した後は上記異常検出動作を実行しないことを特徴とするドア駆動制御方法。
【請求項１１】
ドアが動作を開始してから一定時間のみ、請求項７または請求項８記載の異常検出動作を実行し、上記一定時間を経過した後は、前記速度指令値と前記速度検出値との差が閾値以内であれば、請求項７または請求項８記載の異常検出動作を実行しないことを特徴とするドア駆動制御方法。
【請求項１２】
通常運転時と点検整備作業時とで、請求項７または請求項８記載の異常検出動作を切り替えて実行することを特徴とするドア駆動制御方法。
【発明の詳細な説明】
【技術分野】
【０００１】
この発明は、電力変換器によって運転されるモータにより、例えば鉄道車両用のドアを所定の速度で駆動するためのドア駆動制御装置及びドア駆動制御方法に関するものである。
【背景技術】
【０００２】
従来、同期モータを用いてドアを駆動する場合、同期モータの磁極位置を位置検出器により検出し、検出した磁極位置から速度を算出して同期モータを速度制御する方法が知られている。
この方法によると、実際の磁極位置と制御に用いる磁極位置情報とが何らかの理由によってずれた場合（磁極位置ズレという）、ドアの速度指令値に対する推力の不足、ドアの停止、更には速度指令値が指令する移動方向とは逆方向へのドアの暴走（逆転暴走という）などの異常事態が発生することがある。
このような異常事態への対応策として、特許文献１に記載されたドア開閉装置が知られている。
【０００３】
特許文献１に記載されたドア開閉装置では、同期モータの速度検出値が、速度指令値とは逆極性の第１の設定値を超えた場合を逆転暴走と判定している。
そして、同期モータの電機子巻線をスイッチにより短絡してドアを制動し、または、同期モータを駆動する電力変換器の上アームまたは下アームのスイッチング素子をすべてオンさせて出力電圧をゼロにすること（ゼロ電圧出力）によりモータの電機子巻線を短絡し、ドアを制動することが記載されている。また、ドアの制動動作は、ドアの速度が第２の設定値以下に低下するまで行うことも併せて記載されている。
上記の対策により、磁極位置ズレによってドアが逆転暴走状態になったとしてもこれを直ちに検出してドアを安全に停止させている。
【０００４】
【特許文献１】特開２００６−１５８００９号公報（段落［００２０］〜［００２５］，［００２８］〜［００３３］、図１〜図４等）
【発明の開示】
【発明が解決しようとする課題】
【０００５】
通常、鉄道車両用のドア駆動制御装置では、閉動作時にドアに乗客や障害物が挟まれた場合、ドアに挟まったものを解放するためにドアを再開閉動作させている。
図９は、ドアの閉動作時にドアに障害物が接触したためドアを再び開動作させた場合（いわゆる再開閉動作）における速度指令値と速度検出値との関係を示している。
この再開閉動作においては、ドアの速度指令値を閉方向から開方向に切り替えてドアを開き、その後、開方向から閉方向に切り替えてドアを閉じるため、図９に示すように速度指令値の極性が変化することになる。この時、ドアは速度指令値に対して若干の時間遅れを持って動作するので、図９にｃとして示した如く、速度指令値の極性と速度検出値の極性とが逆になる状態が発生する。
【０００６】
特許文献１の従来技術では、安全のために暴走判定速度（前記の第１の設定値）を低く設定してあると、再開閉動作時に速度指令値の極性と速度検出値の極性とが逆になる状態を逆転暴走状態と誤認してしまう。その結果、正常動作であるにも関わらず、逆転暴走時の制御動作を行ってドアを制動し、停止させてしまう場合がある。
【０００７】
また、駆け込み乗車する乗客が、閉まりかけたドアに手を掛けたような場合には、速度指令値の極性がドアを閉める極性であるのに対して、速度検出値の極性はドアを開く極性となる。従って、この場合も、正常動作であるにも関わらず制御装置は逆転暴走と誤認するので、ドアを制動し、停止させてしまう。
【０００８】
このようにしてドアが停止し、閉まらなくなった場合には、乗務員が該当ドアを調査し、ドアを施錠してから発車するため、安全面では問題はないが、列車の定時運行に支障をきたすという問題があった。
【０００９】
また、特許文献１の従来技術には、前述した如く、磁極位置ズレなどによってドアが実際に逆転暴走した場合にゼロ電圧出力によってドアを制動する技術も開示されている。
しかし、ドアが開方向へ暴走して全開位置までに止まれずに全開位置で跳ね返る場合、速度検出値は、ドアが全開位置で跳ね返る瞬間にゼロとなる。このとき、制御装置は電力変換器のゼロ電圧出力を解除するので、電力変換器はゲートオフされ、モータはフリーラン状態となる。従って、モータの制動に遅れが生じ、乗客がドアに挟まれて怪我をするおそれがある。
【００１０】
更に、磁極位置検出器の故障により誤った位置検出値が制御装置に取り込まれ、その結果として逆転暴走状態を誤認した場合は、次のような問題を生じる。
すなわち、この場合はドアが実際に暴走しているわけではないので、電力変換器がゼロ電圧を出力しても制御装置は逆転暴走状態と誤認し続ける。その結果、電力変換器はいつまでもゼロ電圧を出力し続けることとなるので、特定のスイッチング素子がオン状態またはオフ状態で固定されることになり、機器の劣化を進行させるという問題もあった。
【００１１】
そこで、本発明の解決課題は、逆転暴走状態を誤認することなく正確に検出可能なドア駆動制御装置を提供することにある。また、機器の劣化を防止するようにした駆動制御装置を提供することにある。
更に、本発明の別の解決課題は、従来よりも安全性を向上させると共に、列車等の定時運行に支障をきたすことのないドア駆動制御方法を提供することにある。
【課題を解決するための手段】
【００１２】
上記課題を解決するために、請求項１に係るドア駆動制御装置は、ドアの速度検出値と速度指令値とを用いたフィードバック制御により運転される電力変換器と、この電力変換器から電力が供給されるドア駆動用のリニアモータ等のモータと、を備えている。そして、上記電力変換器を制御することにより、モータを介してドアの速度を制御するように構成されている。
より詳細に述べると、請求項１に係るドア駆動制御装置は、ドアの速度指令値が正または負の第１の設定速度を超え、かつ、速度検出値が速度指令値とは逆極性の第２の設定速度を超えた場合に、逆転暴走状態と判断してドアの速度異常信号を出力する異常判定手段を備えている。なお、上記速度検出値は、ドアの位置検出値から演算することが可能である。
また、上記の速度異常信号は、例えば電力変換器の出力電圧をゼロに制御してモータを制動するために用いることができる。
【００１３】
請求項１に記載したドア駆動制御装置の具体的構成としては、請求項２に記載するように、ドアの速度検出値が速度指令値に一致するように電流指令値を演算する速度制御手段と、上記電流指令値、電力変換器の出力電流検出値、及びドアの位置検出値を用いて電力変換器の電圧指令値を生成する電流制御手段と、を備えている。
更に、請求項３に記載するように、速度異常信号を電流制御手段に入力することにより、モータを制動させるための電力変換器の電圧指令値を生成することができる。
【００１４】
請求項４に係るドア駆動制御装置は、請求項１と同様に、ドアの速度検出値と速度指令値とを用いたフィードバック制御により運転される電力変換器と、この電力変換器から電力が供給されるドア駆動用のリニアモータ等のモータと、を備えている。そして、電力変換器を制御することにより、モータを介してドアの速度を制御するように構成されている。
また、請求項４に係るドア駆動制御装置は、速度検出値を用いてドアの加速度を演算する加速度演算手段と、加速度検出値及び速度検出値とから所定時間後のドアの速度を予測し、その予測速度が正または負の第３の設定速度を超えた場合に、ドアの予測速度異常信号を出力する異常判定手段と、を備えている。
上記の予測速度異常信号は、請求項１と同様に、電力変換器の出力電圧をゼロに制御してモータを制動するために用いることができる。
【００１５】
請求項４に記載したドア駆動制御装置の具体的構成としては、請求項５に記載するように、速度検出値が速度指令値に一致するように電流指令値を演算する速度制御手段と、上記電流指令値、電力変換器の出力電流検出値、及びドアの位置検出値を用いて、電力変換器の電圧指令値を生成する電流制御手段と、を有する。
また、請求項６に記載する如く、前記予測速度異常信号を電流制御手段に入力することにより、モータを制動させるための電力変換器の電圧指令値を生成することができる。
【００１６】
次に、請求項７に係るドア駆動制御方法は、請求項１〜３のドア駆動制御装置によって実行される駆動制御方法であり、ドアの速度検出値と速度指令値とを用いたフィードバック制御により電力変換器を運転し、リニアモータ等のモータによって駆動されるドアの速度を制御する方法に関する。
このドア駆動制御方法は、具体的には、ドアの速度指令値が正または負の第１の設定速度を超え、かつ、速度検出値が速度指令値とは逆極性の第２の設定速度を超えた場合に、ドアが逆転暴走状態にあると判断してドアの速度異常信号を出力する異常検出動作を行い、前記速度異常信号を用いて電力変換器の運転を制御する。
このドア駆動制御方法によれば、ドアの速度指令値が第１の設定速度を超えない場合には異常検出動作を行わないことになり、ドアの逆転暴走を誤認するおそれを低減することができる。
【００１７】
請求項８に係るドア駆動制御方法は、ドアの速度検出値から演算した加速度検出値と速度検出値とから所定時間、例えば数秒後のドアの速度を予測し、その予測速度が正または負の第３の設定速度を超えた場合に異常と判断してドアの予測速度異常信号を出力する異常検出動作を行う。そして、上記の予測速度異常信号を用いて電力変換器の運転を制御するものである。
このドア駆動制御方法によれば、所定時間経過後のドアの予測速度を異常検出動作に用いているので、単純な速度超過による検出動作と異なり、暴走によってドアが危険速度に達する以前の段階で暴走状態を検出することが可能である。
【００１８】
請求項９に係るドア駆動制御方法は、請求項７における速度異常信号または請求項８における予測速度異常信号が出力された時に、電力変換器の出力電圧が一定期間ゼロになるように制御してモータの電機子巻線を短絡させ、いわゆる発電制動によってドアを制動させるものである。
このため、ドアが開方向へ暴走して全開位置までに止まれずに全開位置で跳ね返る場合にも、電力変換器のゼロ電圧出力→ゲートオフによるフリーラン状態となる事象が発生しない。従って、モータの制動の遅れによって乗客が怪我をするおそれをなくすことができる。
【００１９】
請求項１０に係るドア駆動制御方法は、ドアが動作を開始してから一定時間のみ、請求項７または請求項８に記載した異常検出動作を実行し、上記一定時間を経過した後は異常検出動作を実行しないことを特徴とする。
このため、ドアの位置検出器の交換等によって検出値による磁極検出位置にズレが生じたままの状態であるばあいには、ドアは動作開始直後から暴走することとなり、この暴走を上記一定時間内に検出して制動、停止等の措置を講じることが可能になる。
【００２０】
請求項１１に係るドア駆動制御方法では、ドアが動作を開始してから一定時間のみ請求項７または請求項８記載の異常検出動作を実行し、上記一定時間を経過した後は、ドアの速度指令値と速度検出値との差が閾値以内であれば、請求項７または請求項８記載の異常検出動作を実行しないことを特徴とする。
すなわち、磁極位置ズレが小さく、上記一定時間内に暴走と判断できるまでには速度検出値が増加しない場合には、その後に速度指令値と速度検出値との差が閾値以内に収まっていないことにより速度検出値が速度指令値に追従できていなければ、暴走の予兆をとらえることができ、暴走を確実に検出することができる。
【００２１】
請求項１２に係るドア駆動制御方法では、通常運転時と点検整備作業時とで、請求項７または請求項８記載の異常検出動作を切り替えて実行する。
これにより、点検整備作業時に逆転暴走と誤認するおそれはあるものの、低速時でも逆転暴走を確実に検出することができる。また、通常運転時には、ドアの予測速度に着目した異常検出動作により、安全性を確保しながら逆転暴走と誤認するおそれを低減することができる。
【発明の効果】
【００２２】
本発明によれば、磁極位置ズレの発生時において、逆転暴走状態を誤認することなく正確に検出することができる。
また、利用者に対する安全性を高め、機器を損傷したり運行に支障をきたすことのないドア駆動制御装置及びドア駆動制御方法を提供することができる。
【発明を実施するための最良の形態】
【００２３】
以下、本発明を実施するための最良の形態を、図面を参照しながら詳細に説明する。
まず、図１はドア駆動制御装置の第１実施形態を示すブロック図である。
【００２４】
図１において、１はドアであり、連結部３を介してドア駆動用のリニアモータ２に連結されている。リニアモータ２は、ドア駆動制御装置１０Ａに接続されている。
ドア１の位置は、位置検出器５により検出される。また、ドア駆動制御装置１０Ａ内に設けられた後述の電力変換器１４の二相（例えばＵ相，Ｗ相）の出力電流は、出力電流検出器４により検出される。
【００２５】
ドア駆動制御装置１０Ａは、速度演算器１１、速度制御器１２、電流制御器１３、電力変換器１４、ドア速度異常判定器１５を備えている。
速度演算器１１は、位置検出器５から出力される位置検出値を用いてドア１の速度を演算し、速度検出値として出力する。速度制御器１２では、速度指令値と速度検出値とを用いて速度をフィードバック制御し、電流指令値を演算して出力する。
【００２６】
なお、速度指令値及び速度検出値は、ドア速度異常判定器１５にも入力されている。このドア速度異常判定器１５は、速度指令値及び速度検出値に基づいてドア逆方向速度異常信号ａを生成して電流制御器１３に送出する。ドア速度異常判定器１５の詳細な動作については後述する。
【００２７】
電流制御器１３は、電流指令値、電流検出値及び位置検出値を用いて電流のフィードバック制御を行い、電圧指令値を演算して出力する。この電圧指令値は、電力変換器１４に与えられている。
電力変換器１４は、内部のスイッチング素子のオン・オフにより電力変換動作を行って電圧指令値通りの電圧をリニアモータ２に供給し、リニアモータ２を駆動する。なお、電力変換器１４は、非常ハンドル２１の操作により電源２０から遮断され、非常停止するように構成されている。
【００２８】
次に、図１のドア駆動制御装置１０Ａを用いたドア駆動制御方法の第１実施形態を、図２のフローチャートを用いて説明する。この第１実施形態は、ドア１の逆転暴走状態の検出動作を特徴としており、図１におけるドア速度異常判定器１５により実行される。
ここでは、ドア１を開ける方向の速度の極性を正、ドア１を閉める方向の速度の極性を負とし、図２における設定速度１（第１の設定速度）、設定速度２（第２の設定速度）は、予め設定された絶対値によって表される速度とする。
【００２９】
図２において、速度指令値が正の設定速度１を超えると、ステップＳ２０２に移行する（Ｓ２０１，ＹＥＳ）。ステップＳ２０２では、速度検出値が、速度指令値とは逆極性である負の設定速度２未満であるか否かを判断し、速度検出値が負の設定速度２未満であれば（Ｓ２０２，ＹＥＳ）、逆転暴走状態と判断してドア逆方向速度異常信号ａをセットする（Ｓ２０３）。速度検出値が負の設定速度２未満でなければ、処理を終了する（Ｓ２０２，ＮＯ）。
すなわち、速度指令値がドア１を開ける極性で与えられているにもかかわらず、速度検出値がドア１を閉める極性であって設定速度２未満であるときに、ドア逆方向速度異常信号ａがセットされる。
【００３０】
また、速度指令値が正の設定速度１を超えていない場合、ステップＳ２０４に移行する（Ｓ２０１，ＮＯ）。ステップＳ２０４では、速度指令値が負の設定速度１未満であるか否かを判断し、速度指令値が負の設定速度１未満であれば（Ｓ２０４，ＹＥＳ）、ステップＳ２０５に移行する。
また、速度指令値が負の設定速度１未満でない場合には（Ｓ２０４，ＮＯ）、処理を終了する。つまり、速度指令値が開方向へも閉方向へも設定速度１を超えていない場合は、速度検出値及び設定速度を用いた異常検出動作（逆転暴走状態の検出動作）を行わない。
【００３１】
ステップＳ２０５では、速度検出値が正の設定速度２を超えているか否かを判断し、速度検出値が正の設定速度２を超えていれば（Ｓ２０５，ＹＥＳ）、逆転暴走状態と判断してドア逆方向速度異常信号ａをセットする（Ｓ２０６）。速度検出値が正の設定速度２を超えていなければ、処理を終了する（Ｓ２０５，ＮＯ）。
【００３２】
図１のドア速度異常判定器１５から出力されたドア逆方向速度異常信号ａは、電流制御器１３に送られている。電流制御器１３では、ドア逆方向速度異常信号ａが入力されると、例えば、電力変換器１４の出力電圧をゼロとするような電圧指令値を出力する。
【００３３】
以上のような動作により、この実施形態によれば、図９に示したような速度指令値と速度検出値との極性の相違に起因して逆転暴走状態を誤認するおそれがない。
すなわち、図２の動作では、速度指令値が正または負の設定速度１を超えないときには異常検動作を行っていない。言い換えれば、速度指令値が正または負の設定速度１を超えた場合に限って異常検出動作を行っている。
つまり、設定速度１を適切な値に設定すれば、速度指令値と速度検出値との極性が相違する領域（図９に示したように速度指令値が比較的小さい領域ｃ）におけるドア逆方向速度異常の判断を回避することができ、逆転暴走状態の誤認を避けることができる。
【００３４】
次に、ドア駆動制御装置の第２実施形態を図３のブロック図を用いて説明する。
図３において、図１と同一の構成要素には同一の番号を付してあり、以下では図１と異なる部分を中心に説明する。
【００３５】
第２実施形態のドア駆動制御装置１０Ｂでは、速度検出値から加速度を演算する加速度演算器１６と、加速度検出値及び速度検出値を用いてドア予測速度異常信号ｂを検出し出力するドア予測速度異常判定器１７とが設けられている。そして、ドア予測速度異常信号ｂが電流制御器１３に入力されている。その他の構成は、図１においてドア速度異常判定器１５を除いた部分と同一である。
【００３６】
次いで、図３のドア駆動制御装置１０Ｂを用いたドア駆動制御方法の第２実施形態を、図４のフローチャートを用いて説明する。この第２実施形態は、ドア１の暴走を予測する検出動作を特徴としており、図３におけるドア予測速度異常判定器１７により実行されるものである。
ここで、図４における設定速度３は、予め設定された絶対値で表される速度であり、ドア１を開ける方向の速度の極性を正、ドア１を閉める方向の速度の極性を負とする。また、予測時間は予め設定された時間（例えば数秒）とする。
【００３７】
まず、数式１により、現在から予測時間が経過した時点の予測速度を算出する（Ｓ４０１）。
［数式１］
予測速度＝速度検出値＋加速度検出値×予測時間
ここで、速度検出値は図３の速度演算器１１により演算され、加速度検出値は加速度演算器１６により演算される。
【００３８】
次に、予測速度が正の設定速度３を超えているか否かを判断し、超えていれば（Ｓ４０２，ＹＥＳ）、ドア予測速度異常信号ｂをセットする（Ｓ４０３）。
また、予測速度が正の設定速度３を超えていないときは（Ｓ４０２，ＮＯ）、予測速度が負の設定速度３未満であるか否かを判断する（Ｓ４０４）。そして、予測速度が負の設定速度３未満であれば（Ｓ４０４，ＹＥＳ）、ドア予測速度異常信号ｂをセットする（Ｓ４０５）。予測速度が負の設定速度３未満でない場合には（Ｓ４０４，ＮＯ）、処理を終了する。
【００３９】
すなわち、図４では、予測速度が正または負の設定速度３を超えた場合に、ドア予測速度異常信号ｂをセットするようになっている。このドア予測速度異常信号ｂは、図３に示すように電流制御器１３に送られる。電流制御器１３では、ドア予測速度異常信号ｂが入力されると、例えば、電力変換器１４の出力電圧をゼロとするような電圧指令値を出力する。
【００４０】
前述した図２の動作では、閉まりかけたドア１に乗客が手を掛けてドア１を開き、その結果、速度指令値の極性と速度検出値との極性が異なった場合に、このような正常動作を真の逆転暴走状態と判別することは難しい。その理由は、閉まりかけたドア１に乗客が手を掛けてドア１を開く場合、図２のステップＳ２０５における速度検出値が設定速度２を超えて判断結果がＹＥＳとなり、逆転暴走状態と誤認してドア逆方向速度異常信号ａがセットされるからである。
この場合に逆転暴走状態と誤認するのを防ぐには、設定速度２を高くすれば良いが、そうすると、実際に逆転暴走した場合にも設定速度２を超えるまで暴走を止められない、というトレードオフの問題を生じる。
【００４１】
これに対し、第２実施形態における図４の動作によれば、第１実施形態と異なって速度指令値及び速度検出値の極性を考慮に入れていないため、上記の問題は起こらない。
また、例えば数秒先の予測速度を用いることにより、速度検出値が設定速度を超えたか否かの単純な速度超過検出方法と異なり、暴走したドアが危険速度に達する前の段階で暴走状態を検出できるという利点がある。
【００４２】
次に、図１のドア駆動制御装置１０Ａを用いたドア駆動制御方法の第３実施形態を、図５のフローチャートを用いて説明する。この第３実施形態は、ドア１の逆転暴走状態を検出した時に、図１の電流制御器１３によって電力変換器１４にゼロ電圧出力を行わせるためのものである。
なお、この第３実施形態は、図３のドア駆動制御装置１０Ｂを用いたドア駆動制御方法としても実現可能である。その場合には、図５におけるドア逆方向速度異常信号ａをドア逆方向予測速度異常信号ｂに置き換えれば良い。
【００４３】
図５において、まず、図１の電流制御器１３がドア逆方向速度異常信号ａの有無を判断する（Ｓ５０１）。ドア逆方向速度異常信号ａがあることを検出すると（Ｓ５０１，ＹＥＳ）、電流制御器１３はタイマによる時間の計測を開始し、その計測時間（以下、タイマ値という）が、設定時間１以内であるか否かを判断する（Ｓ５０２）。ドア逆方向速度異常信号ａが出力されていなければ（Ｓ５０１，ＮＯ）、処理を終了する。
【００４４】
タイマ値が設定時間１に達するまでの間（Ｓ５０２，ＹＥＳ）、電流制御器１３は、電力変換器１４の出力電圧をゼロとするような電圧指令値を出力してゼロ電圧出力を実施する（Ｓ５０３）。このゼロ電圧出力は、電力変換器１４を構成する上アームまたは下アームのすべてのスイッチング素子をオンすることにより実現可能である。その後、タイマ値を加算、つまり計時動作を継続する（Ｓ５０４）。
また、タイマ値が設定時間１を経過していれば（Ｓ５０２，ＮＯ）、ゼロ電圧出力を停止し（Ｓ５０５）、電力変換器１４をゲートオフさせるような指令値を出力する（Ｓ５０６）。
【００４５】
このようにドア駆動制御方法の第３実施形態では、電流制御器１３がドア逆方向速度異常信号ａによりドア１の逆転暴走を検出した場合に、ドア１の速度に関わらず、設定時間１の間、ゼロ電圧出力を実施してドア１を制動する。
このため、ドア１が開方向へ暴走して全開位置までに止まれずに全開位置で跳ね返った場合にも、ゼロ電圧出力の停止→ゲートオフによるフリーラン状態となるおそれがない。すなわち、ドア１を確実に制動できるため、乗客が挟まれて怪我をする可能性を少なくすることができる。
【００４６】
また、モータ２の位置検出器の故障により誤った位置検出値に基づいて逆転暴走状態を誤認した場合でも、設定時間１の経過後にゼロ電圧出力が停止される。これにより、電力変換器１４を構成するスイッチング素子がオンまたはオフ状態で固定されるのを防止し、機器の劣化を防ぐことができる。
【００４７】
次いで、図１のドア駆動制御装置１０Ａを用いたドア駆動制御方法の第４実施形態を、図６のフローチャートを用いて説明する。この実施形態は、図２のフローチャート全体に示した第１実施形態の処理（図６においてステップＳ６０３として示す）に、更に他の処理ステップを加えたものである。
なお、この第４実施形態は、図３のドア駆動制御装置１０Ｂを用いたドア駆動制御方法としても実現可能である。その場合には、図６におけるステップＳ６０３を、図４のフローチャート全体に示した第２実施形態の処理に置き換えれば良い。
【００４８】
まず、図１における電力変換器１４は、ドア１の動作中はゲートオンされ、ドア１が全開位置に到達するか、または全開位置で施錠されるとゲートオフされる。
このため、図６では、始めにゲートオンの有無を判断する（Ｓ６０１）。ゲートオンされている場合（Ｓ６０１，ＹＥＳ）は、タイマにより時間の計測を開始する。つまり、ドア１が動作を開始してからの経過時間を計測する。
タイマ値が予め設定した設定時間２に達するまでの期間（Ｓ６０２，ＹＥＳ）は、図２に示した第１実施形態の処理を実行し（Ｓ６０３）、タイマ値を加算する（Ｓ６０４）。
タイマ値が設定時間２を超過したら（Ｓ６０２，ＮＯ）、第１実施形態の処理（Ｓ６０３）は実行せずに終了する。また、ステップＳ６０１でゲートオンされていない場合（Ｓ６０１，ＮＯ）は、タイマ値をクリアして終了する（Ｓ６０５）。
【００４９】
このように第４実施形態では、ゲートオンによる動作開始後の設定時間２の間だけ第１実施形態により逆転暴走の検出動作を行い、設定時間２の経過後は逆転暴走の検出動作を行わない。
例えば、図１における位置検出器５の交換などで、位置検出器５によるリニアモータ２の磁極検出位置にズレが発生し、これによって磁極位置が正しく再設定されなかったような場合、ドア１は動作開始直後から逆転暴走するおそれがある。このような場合に、第４実施形態では設定時間２内に逆転暴走を検出することができ、リニアモータ２を安全に停止させることができる。
【００５０】
また、設定時間２内に逆転暴走を検出せず、設定時間２の経過後に乗客のドア操作により、速度指令値と逆方向の速度検出値を得たときには、磁極位置ズレではなく、乗客のドア操作による正常動作として、ドア１を停止させることなく動作を継続することができる。つまり、逆転暴走状態と誤認するのを未然に防ぐことが可能である。
【００５１】
次に、図１のドア駆動制御装置１０Ａを用いたドア駆動制御方法の第５実施形態を、図７のフローチャートを用いて説明する。この実施形態は、図２のフローチャート全体に示した第１実施形態の処理（図７においてステップＳ７０６として示す）に、更に他の処理ステップを加えたものである。
なお、この第５実施形態についても、図３のドア駆動制御装置１０Ｂを用いたドア駆動制御方法として実現可能である。その場合には、図７におけるステップＳ７０６を、図４のフローチャート全体に示した第２実施形態の処理に置き換えれば良い。
【００５２】
図７において、第４実施形態と同様に、始めにゲートオンの有無を判断し（Ｓ７０１）、ゲートオンされている場合には（Ｓ７０１，ＹＥＳ）、タイマによる時間の計測を開始する。つまり、ドア１が動作を開始してからの経過時間を計測する。
そして、タイマ値が予め設定した設定時間３に達するまでの期間（Ｓ７０２，ＹＥＳ）は、異常検出実施フラグをセットし（Ｓ７０３）、タイマ値を加算する（Ｓ７０４）。
【００５３】
タイマ値が設定時間３に達したら（Ｓ７０２，ＮＯ及びＳ７０７，ＹＥＳ）、数式２が成立するか否かを判断する（Ｓ７０８）。
［数式２］
｜（速度指令値）−（速度検出値）｜＞（速度検出閾値）
ここで、速度検出閾値は予め設定された値である。
【００５４】
数式２が成立したときには（Ｓ７０８，ＹＥＳ）、異常検出実施フラグをセットし（Ｓ７０９）、タイマ値を加算する（Ｓ７０４）。
数式２の条件が成立しない場合には（Ｓ７０８，ＮＯ）、異常検出実施フラグをリセットし（Ｓ７１０）、タイマ値を加算する（Ｓ７０４）。
【００５５】
更に、異常検出実施フラグの有無を判断し（Ｓ７０５）、異常検出実施フラグがセットされていれば（Ｓ７０５，ＹＥＳ）、図２に示した第１実施形態の処理を実行する（Ｓ７０６）。異常検出実施フラグがセットされていなければ（Ｓ７０５，ＮＯ）、第１実施形態の処理を実行しないで終了する。
なお、ステップＳ７０１でゲートオン中でないと判断された場合（Ｓ７０１，ＮＯ）は、タイマ値をクリアして終了する（Ｓ７１１）。
【００５６】
このように、前述した第４実施形態では設定時間２の間だけドア逆方向速度異常検出動作（Ｓ６０３）を行うのに対し、第５実施形態では、動作開始後の設定時間３の間、ドア逆方向速度異常検出動作（Ｓ７０６）を行うだけでなく、以下の処理も行っている。すなわち、その処理とは、設定時間３が経過した時に、速度検出値が速度指令値に追従できているかを速度検出閾値を用いて判断し、その結果に応じて、設定時間３の経過後における異常検出動作の実施有無を判断することである（Ｓ７０７〜Ｓ７１０）。
このため、磁極位置のズレが小さく、設定時間３内に逆転暴走と判断するまでには速度検出値が増加しない場合でも、逆転暴走の予兆をとらえることができる。そして、その後に設定時間３を経過しても継続的に逆転暴走を検出するため、逆転暴走状態の検出漏れを防ぐことができる。
【００５７】
最後に、図１のドア駆動制御装置１０Ａ及び図３のドア駆動制御装置１０Ｂを用いたドア駆動制御方法の第６実施形態を、図８のフローチャートを用いて説明する。
ドア１の取付や保守などの作業（以下、点検整備作業という）において位置検出器５を交換した場合には、その後に磁極位置を正しく再設定することを忘れやすい。このため、磁極位置ズレによる逆転暴走の発生確率が高い。また、これらの作業時には、営業運転中のように、ドア１が停止することによる運行の遅延などの問題は生じない。従って、ドアの整備作業を行い、その作業結果を検証する場合には、特に安全性を重視して低速度においても逆転暴走を検出できることが望ましい。
以下に述べる第６実施形態は、上記の点を考慮したものである。
【００５８】
例えば鉄道車両において、ドアの点検整備作業を行うときには、リニアモータ２への通電を停止するのが一般的である。
リニアモータ２への通電を停止する方法としては、電力変換器１４に供給される電源２０自体を遮断する方法と、図１や図３における非常ハンドル２１を操作して電源２０と電力変換器１４とを遮断する方法とがある。これらの遮断方法のどちらが実行されたかは、電源２０や非常ハンドル２１の操作状態信号を把握することによって容易に判別可能である。
【００５９】
そこで、この実施形態では、図８において、電源２０自体が遮断されてその遮断が解除された直後（以下、電源投入直後という）であるか否かを判断する（Ｓ８０１）。電源投入直後であると判断した場合には（Ｓ８０１，ＹＥＳ）、点検整備作業時にその作業結果を検証するために電源が投入されたと判断し、前述したドア駆動制御方法の第１実施形態（図２）、第３実施形態〜第５実施形態（図５〜図７）の何れかを実行する（Ｓ８０２）。つまり、ドア逆方向速度異常検出信号ａを用いる異常検出動作を実行する。
【００６０】
また、電源投入直後でないと判断した場合には（Ｓ８０１，ＮＯ）、非常ハンドル２１の操作（非常ハンドル２１を操作して電源２０と電力変換器１４とを遮断し、その後、電源２０を再び電力変換器１４に接続する操作）の直後であるか否かを判断する（Ｓ８０３）。
非常ハンドル２１の操作直後であると判断した場合には（Ｓ８０３，ＹＥＳ）、前記同様に、点検整備作業時にその作業結果を検証するために電源が投入されたと判断し、ドア駆動制御方法の第１実施形態（図２）、第３実施形態〜第５実施形態（図５〜図７）の何れかを実行する（Ｓ８０４）。すなわち、ドア逆方向速度異常検出信号ａを用いる異常検出動作を実行する。
【００６１】
ステップＳ８０３において、非常ハンドル２１の操作直後であると判断されない場合には（Ｓ８０３，ＮＯ）、点検整備作業時ではなく通常運転時であると判断し、前述したドア駆動制御方法の第２実施形態（図４）を実行する（Ｓ８０２）。すなわち、ドア予測速度異常検出信号ｂを用いる異常検出動作を実行する。
【００６２】
このように本実施形態は、点検整備作業時にはドア逆方向速度異常検出信号ａを用いる異常検出動作を実行し、通常運転時にはドア予測速度異常検出信号ｂを用いる異常検出動作を実行するものである。
このように異常検出動作を切り替えることにより、点検整備作業時には、逆転暴走と誤認する可能性は高いものの、低速度で真の逆転暴走を確実に検出することができる。また、通常運転時には、安全性を確保しつつ、暴走状態を誤認するおそれを少なくして真の暴走状態を適切に検出することができる。
【図面の簡単な説明】
【００６３】
【図１】本発明のドア駆動制御装置の第１実施形態を示すブロック図である。
【図２】本発明のドア駆動制御方法の第１実施形態を示すフローチャートである。
【図３】本発明のドア駆動制御装置の第２実施形態を示すブロック図である。
【図４】本発明のドア駆動制御方法の第２実施形態を示すフローチャートである。
【図５】本発明のドア駆動制御方法の第３実施形態を示すフローチャートである。
【図６】本発明のドア駆動制御方法の第４実施形態を示すフローチャートである。
【図７】本発明のドア駆動制御方法の第５実施形態を示すフローチャートである。
【図８】本発明のドア駆動制御方法の第６実施形態を示すフローチャートである。
【図９】ドアの再開閉動作時における速度指令値と速度検出値との関係を示す図である。
【符号の説明】
【００６４】
１：ドア
２：リニアモータ
３：連結部
４：出力電流検出器
５：位置検出器
１０Ａ，１０Ｂ：ドア駆動制御装置
１１：速度演算器
１２：速度制御器
１３：電流制御器
１４：電力変換器
１５：ドア速度異常判定器
１６：加速度演算器
１７：ドア予測速度異常判定器
【図１】
2008271705.tif 000003
【図２】
2008271705.tif 000004
【図３】
2008271705.tif 000005
【図４】
2008271705.tif 000006
【図５】
2008271705.tif 000007
【図６】
2008271705.tif 000008
【図７】
2008271705.tif 000009
【図８】
2008271705.tif 000010
【図９】
2008271705.tif 000011